【事件の表示】
　特許第３２５３００１号「サイドライト型面光源装置」の請求項１に係る特許に対する特許異議の申立てについて、次のとおり決定する。
【結　論】
　訂正を認める。
　特許第３２５３００１号の請求項１に係る特許を維持する。
【理　由】
 １．手続の経緯
　本件特許第３２５３００１号は、平成７年１２月１４日に出願され、平成１３年１１月２２日に特許権の設定登録がなされたが、高瀬潔より特許異議の申立てがなされ、取消理由が通知され、その指定期間内である平成１４年１２月１７日に訂正請求がなされたものである。
　
２．訂正の適否についての判断
（１）訂正事項
　訂正事項ａ：特許請求の範囲を以下のとおり訂正する。
「【特許請求の範囲】
 【請求項１】端面より遠ざかるに従って厚さが薄くなるように形成された板状部材の前記端面から照明光を入射し、前記照明光を偏向して前記板状部材の出射面より出射するサイドライト型面光源装置において、
前記端面における前記出射面と平行な前記端面の中心線上において、算術平均粗さＲａが０．０５〜０．３０［μｍ］の範囲内となるように前記端面を粗面に形成するとともに、
前記端面より下記式１で規定される範囲ＡＲについては、出射面側で遮光するようにした
ことを特徴とするサイドライト型面光源装置。
　なお、前記算術平均粗さＲａは、ＪＩＳ　Ｂ００３１−１９９４の規定による。
 【式１】
　ＡＲ＝ｔ／ｔａｎ（９０°−θ）
 ［ｔ：前記端面の厚み、θ：臨界角］」
　
　訂正事項ｂ：明細書の段落【０００１】、【００１５】、【００１９】、【００３４】、【００３５】及び【００４２】をそれぞれ、以下のとおり訂正する。
「【０００１】
 【発明の属する技術分野】本発明は、液晶表示装置等に適用されるサイドライト型面光源装置に関し、特に導光板の板厚が一次光源より遠ざかるに従って徐々に薄くなるように形成した指向出射性のサイドライト型面光源装置に適用するものである。本発明は、このサイドライト型面光源装置において、入射面の中心線上において、算術平均粗さＲａが０．０５〜０．３０［μｍ］の範囲内で、入射面を粗面に形成するとともに、入射面より臨界角で規定される範囲については、出射面側で遮光するようにしたことにより、光出射面の入射面近傍に発生する出射光の輝度ムラを低減する。」
「【００１５】
 【課題を解決するための手段】かかる課題を解決するため本発明においては、端面より遠ざかるに従って厚さが薄くなるように形成された板状部材の端面から照明光を入射し、前記照明光を偏向して前記板状部材の出射面より出射するサイドライト型面光源装置において、前記端面における前記出射面と平行な前記端面の中心線上において、算術平均粗さＲａが０．０５〜０．３０［μｍ］の範囲内となるように前記端面を粗面に形成するとともに、前記端面より下記式２で規定される範囲ＡＲについては、出射面側で遮光するようにしたことを特徴とする。なお、前記算術平均粗さＲａは、ＪＩＳ　Ｂ００３１−１９９４の規定による。
 【式２】ＡＲ＝ｔ／ｔａｎ（９０°−θ）［ｔ：前記端面の厚み、θ：臨界角］」
「【００１９】これにより粗面の程度が、端面における出射面と平行な中心線上において、算術平均粗さＲａ０．０５〜０．３０［μｍ］の範囲内となるようにするとともに、端面より前記式２で表される臨界角θにより規定される領域については、出射面側で遮光するようにしたことにより、実用上十分に輝度ムラを低減でき、また液晶表示装置に適用して品位の高い表示画像を表示することができる。」
「【００３４】なおこの実施の形態では、図３において入射面１１より臨界角θにより規定される範囲ＡＲについては、出射面側で遮光するようになされている。ここで、図３（Ｃ）から幾何学的に求められるように、上記範囲ＡＲは入射面１１の厚みｔと臨界角θとを変数として下記式３により表される。
 【式３】ＡＲ＝ｔ／ｔａｎ（９０°−θ）」
「【００３５】以上の構成によれば、マット面処理により、出射面と平行な入射面１１の中心線上において、算術平均粗さＲａが０．０５〜０．３０［μｍ］の範囲内で入射面を粗面に形成したことにより、入射面より入射する照明光の光量分布を入射面側に偏らせて、出射面における入射面近傍に発生する輝度ムラを低減させることができると共に、輝度傾斜の発生を有効に回避することができ、更に、端面より臨界角θにより規定される領域については、出射面側で遮光するようにしたことにより、出射面全体にわたって輝度レベルの均一な面光源装置とすることができる。」
「【００４２】
 【発明の効果】上述のように本発明によれば、指向出射性を有するサイドライト型面光源装置において、端面における出射面と平行な中心線上において、算術平均粗さＲａが０．０５〜０．３０［μｍ］の範囲内で端面を粗面に形成したことにより、この端面より入射する照明光の出射光量分布を端面側に偏らせて、出射面における入射面近傍に発生する輝度ムラを低減することができると共に、輝度傾斜の発生を有効に回避することかでき、更に、端面より臨界角θにより規定される領域については、出射面側で遮光するようにしたことにより、出射面全体にわたって輝度レベルの均一な面光源装置を実現することができる。」
　
（２）訂正の目的の適否、新規事項の有無及び拡張・変更の存否
　上記訂正事項ａは、特許明細書の請求項１において、端面より式１で規定される範囲ＡＲについては、出射面側で遮光するようにした点を限定するものであり、特許請求の範囲の減縮を目的とするものである。
　また、この訂正事項は、特許明細書の段落【００３４】の「なおこの実施の形態では、図３において入射面１１より臨界角θにより規定される範囲ＡＲについては、出射面側で遮光するようになされている。」との記載及び図３（Ｃ）の記載に基づくものであり、新規事項の追加には該当せず、また、実質上特許請求の範囲を拡張し又は変更するものでもない。
　上記訂正事項ｂは、特許請求の範囲を訂正したことに伴う訂正であって、不明りょうな記載の釈明を目的とするものであり、新規事項の追加には該当せず、また、実質上特許請求の範囲を拡張し又は変更するものでもない。
　
（３）むすび
　以上のとおりであるから、上記訂正は、特許法第１２０条の４第２項の規定並びに同条第３項で準用する特許法第１２６条第２項及び第３項の規定に適合するので、当該訂正を認める。
　
３．特許異議の申立てについての判断
（１）申立ての理由の概要
　申立人高瀬潔は、甲第１〜３号証を提出して、本件請求項１に係る発明は、甲第１号証に記載された発明であり、また、甲第１〜３号証に記載された発明に基いて当業者が容易に発明できたものであるから、特許法第２９条第１項第３号及び第２項に規定する発明に該当し、特許を受けることができないものであり、本件請求項１に係る特許を取り消すべきと主張している。
　
（２）各甲号証の記載
ａ．甲第１号証：実願平５−１４９８１号（実開平６−６８００３号）のＣＤ−ＲＯＭ
　甲第１号証は、導光体を用いた面光源装置に関するものであって、下面１ｂが光源２から離れるにつれて出射面１ｃ側に近づくように傾斜している導光体１を用いた面光源装置において、光源２から出射される光の一部が、光源２から入射端面１ａを通過して直接下面１ｂに向かい、下面１ｂによって反射されてそのまま出射面１ｃに向かい、出射面１ｃより出射されてしまうことによって、前記の一部の光だけが、出射面１ｃから出射される他の光よりも極端に輝度が高いことで発生する輝度むら（第５頁の【０００５】）、つまり、通常、第３頁の【図５】に示すように、光源２に近い側の出射面ｌｃ上に、光源２に平行な光の縞５として現れる輝度むら（第５頁第４行目〜第５行目）を削減することを目的として、前記導光体１の入射端面１ａを粗面にした面光源装置が記載されている（第５頁の【０００６】）。
　すなわち、透明な材料からなり、下面１ｂが入射端面１ａから離れるにつれ出射面１ｃに近づくように傾斜している導光体１と、前記導光体１の入射端面１ａに近接配置された光源２と、前記導光体１の出射面１ｃ上に配置された拡散シート４と、前記導光体１の下面１ｂの下側に配置された反射シート３よりなる面光源装置において、前記導光体１の入射端面１ａを粗面にした（第２頁左欄の【実用新案登録請求の範囲】）ことにより、光源２から出射された光が、入射端面１ａを通過するときに拡散されて、導光体１内に入射するので、光源２より直接導光体１の下面１ｂに向かう光は減少し、また、直接下面１ｂに向かった光も入射端面１ａによって拡散されているのでいろいろな角度で下面１ｂに当たるため、下面１ｂによって反射された光のうち直接出射面１ｃに向かう光も減少し、更に、反射された光のうち直接出射面１ｃに向かう光も入射端面１ａによって拡散されているので、拡散された状態で出射面１ｃに向かい、出射面１ｃから拡散された状態で出射されるので、前記輝度むらが従来よりも削減されることが記載されている（第５頁の【０００７】）。
　続いて、前記した下面１ｂが光源２から離れるにつれて出射面１ｃ側に近づくように傾斜していて、つまり下面１ｂが入射端面１ａから離れるにつれて出射面１ｃ側に近づくように傾斜していて、かつ入射端面１ａを粗面にした導光体１を用いた面光源装置においては、前記導光体１の入射端面１ａにおける面粗さは、実験よりｌμｍ以下とすることが望ましく、これ以上になると、光の拡散効果が著しく低下してしまうことが説明されている（第６頁の【００１２】）。
　
ｂ．甲第２号証：特開平４−２１８０８９号公報
　甲第２号証は、面光源装置におけるエッジライトパネルに関するものであって（第２頁左欄の【０００１】）、特に一次光源近傍における輝度の不均一性を解消し、可及的に均一な輝度を備えたエッジライトパネルとして（第２頁右欄の【０００８】）、乱反射面形成透明樹脂基板における、入射光供給用の一次光源に近接対向する一次光源対向端面をその長手方向連続的又は断続的に粗面化せしめた粗面入射面としてなるエッジライトパネルが記載されており（第２頁左欄の【請求項１】）、該エッジライトパネルにおける一次光源対向端面の粗面入射面に関して、なるべく微小の凹凸が多数存在するようにすることが入射光の強制拡散上有効であるとして説明されている（第４頁右欄の【００３５】）。
　そして、前記構成によるエッジライトパネルは、エッジライトパネルの粗面入射面が、一次光源から供給される入射光の確実な捕捉により、入射光量を相対的に増加させる作用、入射光を入射段階で無方向的に強制拡散することにより、エッジライトパネル乱反射面の余力を残している乱反射機能を相対的に活用発揮させる作用を有していて、これによってエッジライトパネルの輝度、均一性を向上させる作用が果たされるものであり（第２頁右欄の【００１０】）、一次光源対向端面における粗面入射面が、一次光源から供給される入射光の確実な捕捉により、入射光量を相対的に増加させ、また入射光を入射段階で無方向的に強制拡散することにより、エッジライトパネル乱反射面の余力を残している乱反射機能を相対的に活用発揮させること、即ち、特に一次光源近傍乱反射面の乱反射を設計意図どおりに行わしめることにより、輝度を向上するとともに一次光源近傍の輝度差を解消し、均一性を向上することができる、と説明されている（第４頁石欄〜第５頁左欄の【００３９】）。
　続いて、前記構成によるエッジライトパネルを使用した面光源装置の例として、第５頁の【図２】及び【図３】を参照して、表面側から積層状に配置した乳白色ポリエステル製の拡散シート８、矩形単一のアクリル製透明樹脂基板１０を用いたエッジライトパネル９、同じく乳白色ポリエステルの反射シート１６と、エッジライトパネル９の一側端面にその長手方向に添いこれに臨むように近接配置した単一の入射光供給用一次光源１７及び特に薄型に形成せしめたインバータとを備えてなる面光源装置７が挙げられており（第３頁左欄の【００１３】）、前記エッジライトパネル９をなす透明樹脂基板１０の４辺とされた各端面には、透明樹脂基板１０の板取りにより生じたカッター傷を消失させる端面仕上げが、切削仕上げ機を用いた切削加工によって施してあること（第３頁左欄の【００１６】）、また、４辺のうち入射光供給用の一次光源１７に近接対向する一次光源対向端面には、上記切削仕上げ機のカッター送り速度約１．２ｍ／分の、鏡面仕上げに用いる最高速度１．５ｍ／分より約２割程度遅らせた速度に設定して、微小凹凸を残存するように切削仕上げを施すことによって、この対向端面を、その長手方向連続的に粗面化せしめた粗面入射面１４として構成したことが説明されている（第３頁左欄の【００１７】）。
　更に、前記構成によるエッジライトパネルは、該エッジライトパネルをなす透明樹脂基板の具体的形状等を、様々に変更し得るものであることが説明されている（第４頁右欄の【００３８】）。
　
ｃ．甲第３号証：ＪＩＳにもとづく標準製図法（１９８２年　理工学社発行）
　甲第３号証には、ＪＩＳにもとづく標準製図法においては、除去加工（削りくずを出す加工）を行なったときの表面あらさを表示する仕上げ記号として三角記号（▽）が用いられており、この三角記号（▽）の三角形の数（１〜４個）が多いほど、精密な仕上げになっていることを意味しており（第１２１頁第１行目〜第１２２頁第４行目）、除去加工（削りくずを出す加工）を行なう最も精密な仕上げ、つまり三角形「▽」の数が４個で表示される精密仕上げは、仕上げ面の中心線平均あらさＲａを０．２〜０．０２５μｍにしたものであることが説明されている（第１２３頁の９．２表）。（なお、第１２３頁の９・２表における中心線平均あらさＲａの単位が「μｍ」であることは、第１２３頁の９・１表中の「最大高さ」や「十点平均あらさ」の欄の「求め方」の説明から明らかである。）
　
（３）本件発明
　本件発明は、訂正明細書の特許請求の範囲に記載された事項により特定される次のとおりのものである。
「端面より遠ざかるに従って厚さが薄くなるように形成された板状部材の前記端面から照明光を入射し、前記照明光を偏向して前記板状部材の出射面より出射するサイドライト型面光源装置において、
前記端面における前記出射面と平行な前記端面の中心線上において、算術平均粗さＲａが０．０５〜０．３０［μｍ］の範囲内となるように前記端面を粗面に形成するとともに、
前記端面より下記式１で規定される範囲ＡＲについては、出射面側で遮光するようにした
ことを特徴とするサイドライト型面光源装置。
　なお、前記算術平均粗さＲａは、ＪＩＳ　Ｂ００３１−１９９４の規定による。
 【式１】
　ＡＲ＝ｔ／ｔａｎ（９０°−θ）
 ［ｔ：前記端面の厚み、θ：臨界角］」
　
（４）対比
ａ．本件発明と甲第１号証に記載された発明とを対比すると、甲第１号証には、所謂サイドライト型面光源装置が記載され、甲第１号証に記載された発明における「下面１ｂが光源２から離れるにつれて出射面１ｃ側に近づくように傾斜している導光体１」が、本件発明における「端面より遠ざかるに従って厚さが薄くなるように形成された板状部材」に相当し、また、甲第１号証には、本件発明と同様の縞状の輝度むらを削減するために、前記導光体１の入射端面１ａを１μｍ以下の粗面にすることが記載されているから、本件発明と甲第１号証に記載された発明とは、
「端面より遠ざかるに従って厚さが薄くなるように形成された板状部材の前記端面から照明光を入射し、前記照明光を偏向して前記板状部材の出射面より出射するサイドライト型面光源装置において、縞状の輝度ムラを低減するべく前記端面を粗面としたサイドライト型面光源装置。」の発明である点で一致する。
　一方、本件発明では、端面が算術平均粗さＲａが０．０５〜０．３０［μｍ］の範囲内となるような粗面に形成され、また、出射面側の範囲ＡＲを遮光するようにしているのに対し、甲第１号証においては、端面粗さについて面粗さを１μｍ以下とする旨の記載はあるものの、出射面側の範囲ＡＲを遮光することについての記載はない点で相違する。
　
ｂ．次に、本件発明と甲第２号証に記載された発明を比較すると、甲第２号証には、面光源装置に使用するエッジライトパネルであって、透明樹脂基板における、入射光供給用の一次光源に近接対向する一次光源対向端面を粗面入射面とすることが記載され、該エッジライトパネルの具体例として、入射光供給用の一次光源１７に近接対向する一次光源対向端面を、鏡面仕上げに用いる切削仕上げ機のカッターの最高速度１．５ｍ／分よりも約２割程度遅らせた、約１．２ｍ／分の速度による切削仕上げによって微小凹凸を残存させた粗面入射面１４としたエッジライトパネルが挙げられており、この粗面は、最高の鏡面仕上げのときよりもやや速度の遅いカッター速度での切削仕上げによるものであるから、粗面粗さの程度は、甲第３号証の記載を参照すると、Ｒａ＝０．０２５〜０．２μｍであり、本件発明と同程度の粗さと考えることができるものの、甲第２号証の透明樹脂基板は、本件発明のように端面より遠ざかるに従って厚さが薄くなるように形成された板状部材ではなく、入射端面に形成される粗面が本件発明のような輝線と暗帯で形成される縞状の輝度ムラを低減するためのものではない点及び本件発明のように出射面側の範囲ＡＲを遮光することについての記載がない点で相違する。
　
（５）判断
　本件発明と甲第１号証及び甲第２号証に記載された発明との上記相違点について検討するに、甲第１号証〜甲第３号証のいずれにも、本件発明のように出射面側の範囲ＡＲを遮光する点については、記載も示唆もなく、本件発明について甲第１〜３号証に記載された発明に基いて当業者が容易に発明できたということはできない。
　この点についてさらに付言すると、本件明細書には、
「【００２４】これを詳細に検討したところ図３に示すように、入射面１１を鏡面に形成した場合に輝度レベルのピークが発生し（図３（Ｂ））、この輝度レベルのピークが輝線として観察されることが判った。この輝度レベルのピークは、遮光板により入射面１１の上下エッジＥを遮光すると消滅し（図３（Ｃ））、これによりサイドライト型面光源装置では、入射面１１のエッジＥにより散乱された照明光により輝線が発生することがわかった。
 【００２５】…入射面１１より入射する照明光は、光散乱導光体１０の内部において散乱されるものの、光散乱導光体１０の延長する方向（すなわち光散乱導光体１０に対して小さな入射角でなる）に極めて光量分布が大きくなる。これにより図３（Ａ）において記号Ｌ１で示すように、入射面１１より入射する照明光は、入射面１１を鏡面に形成した場合、入射面より遠ざかるに従って徐々に光量が増大するようになる。
　【００２６】これに対してエッジＥより入射する照明光は、エッジＥにより大きく散乱され、入射面１１より入射する照明光に比して、入射角の大きな成分が極めて多く含まれることになる。これにより光散乱導光体１０の上下側エッジＥより入射した照明光は、出射面又は反射シート側平面に対して臨界角θ以下の成分が殆どを占め、この多くの成分が直接出射面、又は反射シート側平面より射出されることになる。」との記載がされており、この記載によれば、本件発明において出射面側の範囲ＡＲを遮光するのは、本件図面図３（Ｃ）において、エッジＥより入射した照射光が直接出射面から出射するのを防止するためであると認められるところ、甲第１号証及び甲第２号証においては、エッジＥより入射し、直接出射面から射出される照明光について何も記載されていないのであるから、甲第１号証及び甲第２号証において、本件発明のごとく出射面側の範囲ＡＲを遮光することが当業者に容易に想到し得たとはいえない。
　　
４．むすび
　以上のとおりであるから、特許異議申立ての理由及び証拠によっては、本件請求項１に係る発明の特許を取り消すことはできない。
　よって、結論のとおり決定する。
【異議決定日】
平成１５年２月２４日（２００３．２．２４）
【訂正の要旨】
▲１▼特許請求の範囲を以下のとおり訂正する。
　【特許請求の範囲】
　【請求項１】
　端面より遠ざかるに従って厚さが薄くなるように形成された板状部材の前記端面から照明光を入射し、前記照明光を偏向して前記板状部材の出射面より出射するサイドライト型面光源装置において、
前記端面における前記出射面と平行な前記端面の中心線上において、算術平均粗さＲａが０．０５〜０．３０［μｍ］の範囲内となるように前記端面を粗面に形成するとともに、
前記端面より下記式１で規定される範囲ＡＲについては、出射面側で遮光するようにした
ことを特徴とするサイドライト型面光源装置。
　なお、前記算術平均粗さＲａは、ＪＩＳ　Ｂ００３１−１９９４の規定による。
　
【式１】
　　
ＡＲ＝ｔ／ｔａｎ（９０°−θ）
　　
［ｔ：前記端面の厚み、θ：臨界角］
▲２▼特許請求の範囲の記載と発明の詳細な説明の記載との整合をとるため、明細書の【０００１】、【００１５】、【００１９】、【００３４】、【００３５】及び【００４２】を明りょうでない記載の釈明を目的として以下のとおり訂正する。
ｉ）明細書の【０００１】
　【０００１】
　【発明の属する技術分野】
　本発明は、液晶表示装置等に適用されるサイドライト型面光源装置に関し、特に導光板の板厚が一次光源より遠ざかるに従って徐々に薄くなるように形成した指向出射性のサイドライト型面光源装置に適用するものである。本発明は、このサイドライト型面光源装置において、入射面の中心線上において、算術平均粗さＲａが０．０５〜０．３０［μｍ］の範囲内で、入射面を粗面に形成する
とともに、入射面より臨界角で規定される範囲については、出射面側で遮光するようにした
ｉｉ）明細書の【００１５】
　【００１５】
　【課題を解決するための手段】
　かかる課題を解決するため本発明においては、端面より遠ざかるに従って厚さが薄くなるように形成された板状部材の端面から照明光を入射し、
前記照明光を偏向して前記板状部材の出射面より出射するサイドライト型面光源装置において、前記端面における前記出射面と平行な前記端面の中心線上において、算術平均粗さＲａが０．０５〜０．３０［μｍ］の範囲内となるように前記端面を粗面に形成するとともに、前記端面より下記式２で規定される範囲ＡＲについては、出射面側で遮光するようにしたことを特徴とする。
　
【式２】
　　
ＡＲ＝ｔ／ｔａｎ（９０°−θ）
　　
［ｔ：前記端面の厚み、θ：臨界角］
ｉｉｉ）明細書の【００１９】
　【００１９】
　これにより粗面の程度が、端面における出射面と平行な中心線上において、算術平均粗さＲａ０．０５〜０．３０［μｍ］の範囲内となるように
するとともに、端面より前記式２で表される臨界角θにより規定される領域については、出射面側で遮光するようにした
ｉｖ）明細書の【００３４】
　【００３４】
　なおこの実施の形態では、図３において入射面１１より臨界角θにより規定される範囲ＡＲについては、出射面側で遮光するようになされている。
ここで、図３（Ｃ）から幾何学的に求められるように、上記範囲ＡＲは入射面１１の厚みｔと臨界角θとを変数として下記式３により表される。
　
【式３】
　　
ＡＲ＝ｔ／ｔａｎ（９０°−θ）
ｖ）明細書の【００３５】
　【００３５】
　以上の構成によれば、マット面処理により、出射面と平行な入射面１１の中心線上において、算術平均粗さＲａが０．０５〜０．３０［μｍ］の範囲内で入射面を粗面に形成したことにより、入射面より入射する照明光の光量分布を入射面側に偏らせて、出射面における入射面近傍に発生する輝度ムラを低減させることができると共に、輝度傾斜の発生を有効に回避することができ、
更に、端面より臨界角θにより規定される領域については、出射面側で遮光するようにしたことにより、
ｖｉ）明細書の【００４２】
　【００４２】
　【発明の効果】
　上述のように本発明によれば、指向出射性を有するサイドライト型面光源装置において、端面における出射面と平行な中心線上において、算術平均粗さＲａが０．０５〜０．３０［μｍ］の範囲内で端面を粗面に形成したことにより、この端面より入射する照明光の出射光量分布を端面側に偏らせて、出射面における入射面近傍に発生する輝度ムラを低減することができると共に、輝度傾斜の発生を有効に回避することかでき、
更に、端面より臨界角θにより規定される領域については、出射面側で遮光するようにしたことにより、
（５４）【発明の名称】
サイドライト型面光源装置
（５７）【特許請求の範囲】
　【請求項１】
　端面より遠ざかるに従って厚さが薄くなるように形成された板状部材の前記端面から照明光を入射し、前記照明光を偏向して前記板状部材の出射面より出射するサイドライト型面光源装置において、
前記端面における前記出射面と平行な前記端面の中心線上において、算術平均粗さＲａが０．０５〜０．３０［μｍ］の範囲内となるように前記端面を粗面に形成するとともに、
前記端面より下記式１で規定される範囲ＡＲについては、出射面側で遮光するようにした
ことを特徴とするサイドライト型面光源装置。
　なお、前記算術平均粗さＲａは、ＪＩＳ　Ｂ００３１−１９９４の規定による。
　
【式１】
　　
ＡＲ＝ｔ／ｔａｎ（９０°−θ）
　　
［ｔ：前記端面の厚み、θ：臨界角］
【発明の詳細な説明】
　【０００１】
　【発明の属する技術分野】
　本発明は、液晶表示装置等に適用されるサイドライト型面光源装置に関し、特に導光板の板厚が一次光源より遠ざかるに従って徐々に薄くなるように形成した指向出射性のサイドライト型面光源装置に適用するものである。本発明は、このサイドライト型面光源装置において、入射面の中心線上において、算術平均粗さＲａが０．０５〜０．３０［μｍ］の範囲内で、入射面を粗面に形成する
とともに、入射面より臨界角で規定される範囲については、出射面側で遮光するようにした
　【０００２】
　【従来の技術】
　従来、例えば液晶表示装置においては、サイドライト型面光源装置により液晶パネルを照明し、これにより全体形状を薄型化するようになされている。
　【０００３】
　すなわちサイドライト型面光源装置は、冷陰極管等の棒状光源でなる一次光源を板状部材（すなわち導光板でなる）の側方に配置し、この一次光源より出射される照明光を導光板の端面より導光板に入射する。さらにサイドライト型面光源装置は、この照明光を偏向して、導光板の平面より液晶パネルに向けて出射するように形成され、これにより全体形状を薄型化できるようになされている。
　【０００４】
　このようなサイドライト型面光源装置は、ほぼ均一な板厚により導光板を形成した方式のものと、一次光源より遠ざかるに従って導光板の板厚を徐々に薄く形成した形式のものとがあり、後者は、前者に比して効率良く照明光を出射することができる。
　【０００５】
　すなわち図７は、この後者のサイドライト型面光源装置の構成を示す分解斜視図であり、このサイドライト型面光源装置１は、導光板でなる光散乱導光体２の側方に一次光源３を配置した後、反射シート４、光散乱導光体２、プリズムシート５を積層して形成される。このうち一次光源３は、冷陰極管でなる蛍光ランプ６の周囲を、断面略半円形形状の反射部材でなるリフレクター７で囲って形成され、リフレクター７の開口側より光散乱導光体２の端面に照明光を入射する。
　【０００６】
　反射シート４は、金属箔等でなるシート状の正反射部材、又は白色ＰＥＴフィルム等でなるシート状の乱反射部材により形成される。
　【０００７】
　光散乱導光体２は、楔型断面形状の導光板で、例えばポリメチルメタクリレート（ＰＭＭＡ）からなるマトリックス中に、これと屈折率の異なる透光性の微粒子が一様に混入分散されて形成される。これによりＡ−Ａ断面により断面を取って図８に示すように、この光散乱導光体２は、一次光源３側端面でなる入射面Ｔより照明光Ｌを入射し、透光性の微粒子により照明光Ｌを散乱させながら、また乱反射部材による反射シート４を適用した場合は、この反射シート４により一部乱反射させながら、反射シート４側平面とプリズムシート５側平面（以下出射面と呼ぶ）との間を繰り返し反射させて照明光Ｌを伝播する。
　【０００８】
　この伝播の際に、照明光Ｌは、出射面に対する入射角が徐々に低下し、出射面に対して臨界角以下の成分が出射面より出射される。この出射面より出射される照明光Ｌ１は、照明光Ｌが光散乱導光体２の内部において透光性の微粒子により散乱され、また反射シート４により乱反射して伝播すること等により、散乱光により出射される。しかしながらこの照明光Ｌ１は、出射面に対して伝播方向に傾いて形成された反射シート４側平面を反射して伝播することにより、矢印Ｂにより拡大して示すように、主たる出射方向が楔形状の先端方向に傾いて形成される。すなわち出射光Ｌ１が指向性を有するようになり、これによりサイドライト型面光源装置１は、指向出射性を有するようになる。
　【０００９】
　プリズムシート５は、ポリカーボネート等の透光性のシート材で形成され、光散乱導光体２側面にプリズム面が形成される。このプリズム面は、光散乱導光体２の入射面Ｔとほぼ平行に延長する断面三角形形状の突起が、入射面Ｔ側から楔形状の先端方向に、繰り返されて形成される。これによりプリズムシート５は、この三魚形形状の突起の斜面で、出射光Ｌ１の主たる出射方向を出射面の正面方向に補正する。
　【００１０】
　これによりこのサイドライト型面光源装置１では、ほぼ均一な板厚により導光板を形成した方式のサイドライト型面光源装置に比して、出射光を正面方向に効率良く出射できるようになされている。
　【００１１】
　なお、このように指向出射性を有するサイドライト型面光源装置として、透明部材又は半透明部材により、楔形形状又は楔形形状に近い形状に導光板を形成し、この導光板の出射面及び又は裏面に散乱膜等を形成したものもある。このようなサイドライト型面光源装置においても、同様に、出射光を正面方向に効率良く出射できるようになされている。
　【００１２】
　【発明が解決しようとする課題】
　ところでこのように指向出射性を有するサイドライト型面光源装置は、出射面における入射面近傍において、輝度レベルの高い線状部分（すなわち輝線と呼ぶ）Ｋ（図７）と輝度レベルの低い帯状部分（すなわち暗帯と呼ぶ）が、入射面と平行に、一定間隔で発生し（いわゆる映り込みでなる）、出射光に輝度ムラが発生するという問題かある。
　【００１３】
　この輝度ムラは、入射面における上下のエッジ部より導光板内に入射した照明光に起因する輝線と、ほぼ入射面の厚さに相当する幅を有し、出射面の平均輝度よりも更に輝度レベルの低い暗帯とから構成されているものであり、この輝度ムラのために、指向出射性を有するサイドライト型面光源装置では、高品位な面光源装置を実現することが困難であるという実情があった。
　【００１４】
　本発明は以上の点を考慮してなされたもので、出射面における入射面近傍に発生する輝度ムラを低減することができるサイドライト型面光源装置を提案しようとするものである。
　【００１５】
　【課題を解決するための手段】
　かかる課題を解決するため本発明においては、端面より遠ざかるに従って厚さが薄くなるように形成された板状部材の端面から照明光を入射し、
前記照明光を偏向して前記板状部材の出射面より出射するサイドライト型面光源装置において、前記端面における前記出射面と平行な前記端面の中心線上において、算術平均粗さＲａが０．０５〜０．３０［μｍ］の範囲内となるように前記端面を粗面に形成するとともに、前記端面より下記式２で規定される範囲ＡＲについては、出射面側で遮光するようにしたことを特徴とする。
　
【式２】
　　
ＡＲ＝ｔ／ｔａｎ（９０°−θ）
　　
［ｔ：前記端面の厚み、θ：臨界角］
　【００１６】
　これらの手段の前提として、端面を何ら粗面に形成しない場合、端面より入射する照明光は、多くの成分が小さな入射角度により板状部材に入射する。またこの照明光は、板状部材を伝播しながら板状部材の厚さが薄くなるに従って出射面に対する入射角度が徐々に低下し、臨界角以下の成分が出射面より射出される。これにより端面より入射する照明光は、入射面の近傍では出射光量が少なく（すなわち暗く）、端面より遠ざかるに従って出射光量が増大する傾向になる。
　【００１７】
　これに対してエッジより入射する照明光は、十分な散乱を受けて線状の領域より入射する。これによりエッジより入射する照明光は、周期的に輝線を形成しながら、端面より遠ざかるに従って出射光量が減少する。
　【００１８】
　これにより端面を粗面に形成すれば、この端面より入射する入射光を散乱させることかでき、端面より入射した照明光を、入射面側に偏らせて出射することができ、入射面側近傍に発生する暗帯部分の輝度レベルを上昇させることができ、その結果として輝度ムラを目立たなくさせることができる。しかしながらあまりに粗面に形成すると、入射面近傍の出射面から出射する照明光量が多くなりすぎてしまい、出射面の全体を見た場合に光量分布が著しく端面側に集中し、輝度傾斜が知覚されるようになる。
　【００１９】
　これにより粗面の程度が、端面における出射面と平行な中心線上において、算術平均粗さＲａ０．０５〜０．３０［μｍ］の範囲内となるように
するとともに、端面より前記式２で表される臨界点θにより規定される領域については、出射面側で遮光するようにした
　【００２０】
　【発明の実施の形態】
　以下、適宜図面を参照しながら本発明の実施の形態を詳述する。
　【００２１】
　図１は、本発明の実施の形態に係るサイドライト型面光源装置に適用される光散乱導光体を入射面側より見て示す斜視図である。なおこの実施の形態に係るサイドライト型面光源装置は、この光散乱導光体１０の構造が異なる以外、図７及び図８について上述したサイドライト型面光源装置と同一構成でなることから、重複した説明は省略する。
　【００２２】
　この光散乱導光体１０は、入射面１１かマット面処理により一様に規定の粗さのマット面（シボ面）に形成され、これによりこの実施の形態では、入射面を粗面に形成して輝度ムラを低減する。
　【００２３】
　すなわち図２に示すように、この光散乱導光体１０を適用したサイドライト型面光源装置について、出射面における輝度分布を測定したところ、何ら入射面を処理しない場合に比して、出射光の光量分布か入射面側に偏ることが分かった。なおこの場合、入射面より楔形先端までの長さが約１７０ｍｍの光散乱導光体１０を用いて、出射光の指向性を出射面の垂直方向に補正した状態で、規定の輝度測定装置１２を矢印Ｃで示すように入射面側より楔形先端に向かって走査し、これにより出射光量を測定して輝度分布を判断した。
　【００２４】
　これを詳細に検討したところ図３に示すように、入射面１１を鏡面に形成した場合に輝度レベルのピークが発生し（図３（Ｂ））、この輝度レベルのピークが輝線として観察されることが判った。この輝度レベルのピークは、遮光板により入射面１１の上下エッジＥを遮光すると消滅し（図３（Ｃ））、これによりサイドライト型面光源装置では、入射面１１のエッジＢにより散乱された照明光により輝線が発生することがわかった。
　【００２５】
　すなわちこの種のサイドライト型面光源装置の照明光出射の基本的な原理は、端面より入射する照明光が板状部材を伝播しなから出射面に対する入射角度が徐々に低下し、臨界角以下の成分が出射面より射出されることによる。入射面１１より入射する照明光は、光散乱導光体１０の内部において散乱されるものの、光散乱導光体１０の延長する方向（すなわち光散乱導光体１０に対して小さな入射角でなる）に極めて光量分布が大きくなる。これにより図３（Ａ）において記号Ｌ１で示すように、入射面１１より入射する照明光は、入射面１１を鏡面に形成した場合、入射面より遠ざかるに従って徐々に光量が増大するようになる。
　【００２６】
　これに対してエッジＥより入射する照明光は、エッジＥにより大きく散乱され、入射面１１より入射する照明光に比して、入射角の大きな成分が極めて多く含まれることになる。これにより光散乱導光体１０の上下側エッジＥより入射した照明光は、出射面又は反射シート側平面に対して臨界角θ以下の成分が殆どを占め、この多くの成分が直接出射面、又は反射シート側平面より射出されることになる。
　【００２７】
　またエッジＥより入射する照明光のうちの残る成分は、光散乱導光体１０の内部を伝播して徐々に射出されることになる。ここでエッジより入射する照明光は、上述したように大きく散乱して入射することにより、また入射面１１より入射する照明光に比して入射角の範囲が上下半分に限られることにより、ピークを結ぶ包絡線を記号Ｌ２で示すように、入射面１１より遠ざかるに従って射出光量が急激に低下するようになる。さらにこのとき線状のエッジより入射することにより、ピークを形成しながら射出光量が急激に低下するようになる。
　【００２８】
　これによりこの実施の形態のように、入射面１１を粗面に形成することで、記号Ｌ１で示すように、入射面より入射する照明光の光量分布を入射面側に偏らせること、すなわち入射面近傍において出射光量を増大させることができる。またこれにより、記号Ｄで示すようにピーク間の輝度レベルの低い領域（暗帯の部分）について、輝度レベルを全体的に増大させることができ、その結果として輝線及び暗帯で形成されている輝度ムラを目だなくすることができる。
　【００２９】
　ところがこの光量分布を余りに偏らせ過ぎると、逆に入射面１１側から楔型先端に向かう輝度傾斜が発生する。画像表示用の液晶表示装置に適用する場合には、この輝度傾斜が大きくなりすぎると表示画像を見苦しくする。
　【００３０】
　これを詳細に検討したところ、蛍光ランプ６に最も近接する、出射面と平行な入射面１１の中心線上において、ＪＩＳ　Ｂ００３１−１９９４に規定された表面粗さに従った表記により、算術平均粗さＲａが０．０５〜０．３０［μｍ］の範囲内で入射面１１を粗面に形成すれば、カラー画像表示用の液晶表示装置に適用して実用上十分に均一な射出光量分布を得ることができた。また算術平均粗さＲａを０．０５〜０．２０［μｍ］の範囲に設定すれば、表示画面を注視しても、この輝度傾斜、輝度ムラをほとんど知覚することが困難なことが判った。
　【００３１】
　すなわち図４に示すように、算術平均粗さＲａが０．４０［μｍ］、０．０３［μｍ］、０．２０［μｍ］、０．１０［μｍ］、０．０５［μｍ］、０．０２［μｍ］の６個の光散乱導光体１０と、入射面を鏡面に形成した光散乱導光体１０とについて、射出光の光量分布を測定したところ、図５（Ａ）に示すように、算術平均粗さＲａか０．０２［μｍ］のサンプル（ＮＯ６）においては、輝度ピークが残り、顕著な輝度ムラが発生しているのに対して、算術平均粗さＲａが０．０５［μｍ］のサンプル（ＮＯ５）においては、暗帯部分の輝度レベルが上昇し、輝度ムラを目立たなくすることができた。なおここでは入射面１１より楔形先端までの長さが１７０ｍｍの光散乱導光体１０を用いて測定した。
　【００３２】
　これに対して図５（Ｂ）に示すように、粗さを荒くすると入射面１１側の輝度レベルか増大し、図示してはいないか、算術平均組さＲａが０．４０［μｍ］のサンプル（ＮＯ１）においては、輝度傾斜か大きくなりすぎて、実用に供することができない状態であった。また、算術平均粗さＲａが０．３０［μｍ］のサンプル（ＮＯ２）においては、ある程度の大きさの輝度傾斜が存在したが、実用に供し得る程度のものであった。
　【００３３】
　これに対して図６は、長さ４５ｍｍの光散乱導光体１１により射出光の光量分布を測定した結果を示し、この場合算術平均粗さＲａが０．２０［μｍ］のサンプル（ＮＯ３）において、最も輝度傾斜を低減できることが判った。
　【００３４】
　なおこの実施の形態では、図３において入射面１１より臨界角θにより規定される範囲ＡＲについては、出射面側で遮光するようになされている。
ここで、図３（Ｃ）から幾何学的に求められるように、上記範囲ＡＲは入射面１１の厚みｔと臨界角θとを変数として下記式３により表される。
　
【式３】
　　
ＡＲ＝ｔ／ｔａｎ（９０°−θ）
　【００３５】
　以上の構成によれば、マット面処理により、出射面と平行な入射面１１の中心線上において、算術平均粗さＲａが０．０５〜０．３０［μｍ］の範囲内で入射面を粗面に形成したことにより、入射面より入射する照明光の光量分布を入射面側に偏らせて、出射面における入射面近傍に発生する輝度ムラを低減させることができると共に、輝度傾斜の発生を有効に回避することができ、
更に、端面より臨界角θにより規定される領域については、出射面側で遮光するようにしたことにより、
　【００３６】
　また、上述した図４に示すサンプルに加えて、出射面の大きさが３〜１２インチ、光入射面（端面）の厚みが２〜５［ｍｍ］の各種導光板を用いて同様に検討したところ、光入射面を上記の範囲で粗面に形成したものは、何れの場合も光入射面近傍の輝度ムラが低減されており、良好な特性を得ることができた。
　【００３７】
　なお上述の実施の形態では、マット面処理により、照明光の入射面を粗面に形成する場合について述べたか、本発明はこれに限らず、サンドペーパーによるブラスト処理、化学エッチング処理により粗面に形成する場合等、種々の粗面形成手段を広く適用することができる。
　【００３８】
　さらに上述の実施の形態では、導光板でなる光散乱導光体を、断面楔形形状に形成した場合について述べたが、本発明はこれに限らず、光散乱導光体の板厚が光源より遠ざかるに従って薄くなる構成のサイドライト型面光源装置に広く適用することができる。
　【００３９】
　また上述の実施の形態では、一端面より照明光を入射する場合について述べたが、本発明はこれに限らず、併せて他の端面から照明光を入射する構成のサイドライト型面光源装置にも広く適用することができる。
　【００４０】
　また上述の実施の形態では、導光板に光散乱導光体を適用したサイドライト型面光源装置に本発明を適用した場合について述べたが、本発明はこれに限らず、指向出射性を有するサイドライト型面光源装置、すなわち導光板の板厚が光源より遠ざかるに従って薄くなる構成のサイドライト型面光源装置に広く適用することができる。
　【００４１】
　さらに上述の実施の形態では、液晶表示装置の面光源装置に本発明を適用した場合について述べたが、本発明はこれに限らず、種々の照明機器、表示装置等のサイドライト型面光源装置に広く適用することができる。
　【００４２】
　【発明の効果】
　上述のように本発明によれば、指向出射性を有するサイドライト型面光源装置において、端面における出射面と平行な中心線上において、算術平均粗さＲａが０．０５〜０．３０［μｍ］の範囲内で端面を粗面に形成したことにより、この端面より入射する照明光の出射光量分布を端面側に偏らせて、出射面における入射面近傍に発生する輝度ムラを低減することができると共に、輝度傾斜の発生を有効に回避することかでき、
更に、端面より臨界角θにより規定される領域については、出射面側で遮光するようにしたことにより、
【図面の簡単な説明】
　【図１】
　本発明の実施の形態に係るサイドライト型面光源装置に適用する光散乱導光体を示す斜視図である。
　【図２】
　図１の光散乱導光体の輝度分布の測定の説明に供する斜視図である。
　【図３】
　輝線の発生原理の説明に供する略線図である。
　【図４】
　測定に供した試料を示す図表である。
　【図５】
　図４の試料により測定結果を示す図表である。
　【図６】
　図４の条件により試料の長さを変更した場合の測定結果を示す図表である。
　【図７】
　従来のサイドライト型面光源装置を示す分解斜視図である。
　【図８】
　図４のサイドライト型面光源装置をＡ−Ａ断面で取って示す断面図である。
　【符号の説明】
　１　　　　　サイドライト型面光源装置
　２，１０　　光散乱導光体
　３　　　　　一次光源
　４　　　　　反射シート
　５　　　　　プリズムシート
　６　　　　　蛍光ランプ
　７　　　　　リフレクター
　１１、Ｔ　　入射面